(57)【要約】【課題】表示中の画像の表示レンジに基づいて、現在の表示レンジと異なる表示レンジの画像を多画面表示する表示装置を提供する。【解決手段】表示装置１は、表示部１３表示する入力画像を取得する取得部１１と、前記入力画像に基づく第１ダイナミックレンジの第１表示画像が表示部１３の全領域に表示されている間に、表示部１３の複数の領域に前記入力画像に基づく複数の表示画像を表示させるための表示指示を受け付ける指示受付部１２と、指示受付部１２が表示指示を受け付けた場合に、第１表示画像とともに、第１ダイナミックレンジに基づいて決定した第２ダイナミックレンジの第２表示画像を表示部１３に表示させる表示制御部１５４と、を有する。【選択図】図１
2018091999.tif 000002
【特許請求の範囲】
【請求項１】
表示手段に表示する入力画像を取得する取得手段と、
前記入力画像に基づく第１ダイナミックレンジの第１表示画像が前記表示手段の全領域に表示されている間に、前記表示手段の複数の領域に前記入力画像に基づく複数の表示画像を表示させるための表示指示を受け付ける指示受付手段と、
前記指示受付手段が前記表示指示を受け付けた場合に、前記第１表示画像とともに、前記第１ダイナミックレンジに基づいて決定した第２ダイナミックレンジの第２表示画像を前記表示手段に表示させる表示制御手段と、
を有することを特徴とする画像処理装置。
【請求項２】
前記表示制御手段は、前記第１ダイナミックレンジが閾値以上である場合に、前記閾値未満の前記第２ダイナミックレンジの前記第２表示画像を前記表示手段に表示させることを特徴とする、
請求項１に記載の画像処理装置。
【請求項３】
前記表示制御手段は、前記第１ダイナミックレンジが閾値以上である場合に、前記閾値未満の前記複数の第２ダイナミックレンジから１つを選択するための選択画面を前記表示手段に表示させ、
前記指示受付手段は、前記選択画面に表示された前記複数の第２ダイナミックレンジから１つを選択するための選択指示を受け付けることを特徴とする、
請求項２に記載の画像処理装置。
【請求項４】
前記表示制御手段は、前記第１ダイナミックレンジが閾値未満である場合に、前記閾値以上の前記第２ダイナミックレンジの前記第２表示画像を前記表示手段に表示させることを特徴とする、
請求項１に記載の画像処理装置。
【請求項５】
前記表示制御手段は、前記第１ダイナミックレンジが閾値未満である場合に、前記閾値以上の前記複数の第２ダイナミックレンジから１つを選択するための選択画面を前記表示手段に表示させ、
前記指示受付手段は、前記選択画面に表示された前記複数の第２ダイナミックレンジから１つを選択するための選択指示を受け付けることを特徴とする、
請求項４に記載の画像処理装置。
【請求項６】
前記第１ダイナミックレンジに関連付けて前記第２ダイナミックレンジを記憶する記憶手段をさらに有し、
前記表示制御手段は、前記指示受付手段が前記表示指示を受け付けた場合に、前記第１ダイナミックレンジに関連付けて前記記憶手段に記憶された前記第２ダイナミックレンジの前記第２表示画像を前記表示手段に表示させることを特徴とする、
請求項１から５のいずれか一項に記載の画像処理装置。
【請求項７】
前記記憶手段は、前記第１ダイナミックレンジに関連付けて、それぞれ値が異なる複数の前記第２ダイナミックレンジを記憶し、
前記指示受付手段は、前記複数の第２ダイナミックレンジから１つを選択するための選択指示を受け付け、
前記表示制御手段は、前記指示受付手段が受け付けた前記選択指示が示す前記第２ダイナミックレンジの前記第２表示画像を前記表示手段に表示させることを特徴とする、
請求項６に記載の画像処理装置。
【請求項８】
前記入力画像に含まれる複数の画素の輝度関連値の発生度数を特定する特定手段をさらに有し、
前記表示制御手段は、前記発生度数に基づいて決定した前記第２ダイナミックレンジの前記第２表示画像を前記表示手段に表示させることを特徴とする、
請求項１から７のいずれか一項に記載の画像処理装置。
【請求項９】
前記表示制御手段は、前記発生度数が所定の閾値以上の前記輝度関連値を含む前記第２ダイナミックレンジの前記第２表示画像を前記表示手段に表示させることを特徴とする、
請求項８に記載の画像処理装置。
【請求項１０】
入力画像に基づく表示画像を表示する表示手段と、
前記入力画像に基づく第１ダイナミックレンジの第１表示画像が前記表示手段の全領域に表示されている間に、前記表示手段の複数の領域に前記入力画像に基づく複数の表示画像を表示させるための表示指示を受け付ける指示受付手段と、
前記指示受付手段が前記表示指示を受け付けた場合に、前記第１表示画像とともに、前記第１ダイナミックレンジに基づいて決定した第２ダイナミックレンジの第２表示画像を前記表示手段に表示させる表示制御手段と、
を有することを特徴とする表示装置。
【請求項１１】
コンピュータが実行する、
表示手段に表示する入力画像を取得する取得ステップと、
前記入力画像に基づく第１ダイナミックレンジの第１表示画像が前記表示手段の全領域に表示されている間に、前記表示手段の複数の領域に前記入力画像に基づく複数の表示画像を表示させるための表示指示を受け付ける受付ステップと、
前記表示指示を受け付けた場合に、前記第１表示画像とともに、前記第１ダイナミックレンジに基づいて決定した第２ダイナミックレンジの第２表示画像を前記表示手段に表示させる表示ステップと、
を有することを特徴とする画像処理方法。
【請求項１２】
前記表示ステップにおいて、前記第１ダイナミックレンジが閾値以上である場合に、前記閾値未満の前記第２ダイナミックレンジの前記第２表示画像を前記表示手段に表示させ、前記第１ダイナミックレンジが前記閾値未満である場合に、前記閾値以上の前記第２ダイナミックレンジの前記第２表示画像を前記表示手段に表示させることを特徴とする、
請求項１１に記載の画像処理方法。
【請求項１３】
前記表示ステップの前に実行される、前記第１ダイナミックレンジが閾値以上である場合に、前記閾値未満の前記複数の第２ダイナミックレンジから１つを選択するための選択画面を前記表示手段に表示させ、前記第１ダイナミックレンジが閾値未満である場合に、前記閾値以上の前記複数の第２ダイナミックレンジから１つを選択するための選択画面を前記表示手段に表示させる選択ステップをさらに有することを特徴とする、
請求項１２に記載の画像処理方法。
【請求項１４】
前記入力画像に含まれる複数の画素の輝度関連値の発生度数を特定する特定ステップをさらに有し、
前記表示ステップにおいて、前記発生度数にさらに基づいて前記第２ダイナミックレンジを決定することを特徴とする、
請求項１１から１３のいずれか一項に記載の画像処理方法。
【発明の詳細な説明】
【技術分野】
【０００１】
本発明は、画像を表示するための画像処理装置、表示装置及び画像処理方法に関するものである。
【背景技術】
【０００２】
表示装置が撮像画像を表示させる場合、表示装置は、撮像画像に画像処理を施す。特許文献１には、画像処理を施した複数の画像をモニタに表示して、複数の画像から画面全体に表示させたい画像をユーザに選択させる技術が開示されている。
【先行技術文献】
【特許文献】
【０００３】
【特許文献１】特開２００６−３３３１１３号公報
【発明の概要】
【発明が解決しようとする課題】
【０００４】
近年、撮像装置の受光性能の向上に伴い、一般的なビデオガンマとして用いられているＢＴ．７０９よりもダイナミックレンジが広い撮像画像が生成されるようになってきている。表示装置のダイナミックレンジ（以下、表示レンジという）を撮像装置のダイナミックレンジ（以下、撮像レンジという）と同様に広くすると、例えば、消費電力が増加したり、部品の発熱により信頼性が低下したりするという懸念が生じる。そのため、表示レンジは、撮像レンジよりも狭いダイナミックレンジに制限されている場合がある。そして、表示レンジよりも広い撮像レンジで生成された画像データは、撮像レンジを表示レンジに割り付ける画像処理が施されて表示される。
【０００５】
撮像レンジが表示レンジよりも広い場合、画像を適切に表示させるために、ユーザは、撮像レンジの表示レンジへの割り付け度合いの設定（以下、表示レンジ設定という）を調整する必要がある。ユーザが表示レンジ設定を切り替える場合、切り替え前に使用されている表示レンジ設定で表示された画像の状態によって、ユーザが切り替えたいと考える表示レンジ設定の傾向が異なる。例えば、ダイナミックレンジが広い表示レンジ設定が行われている状態でユーザが表示レンジ設定を切り替えたい場合、ダイナミックレンジを狭くしたいと考える確率が高い。しかしながら、特許文献１に開示の技術では、使用されている表示レンジ設定によらず、予め定められた表示レンジ設定に基づく画像を画面上に表示するため、ユーザが望む表示レンジ設定に切り替えにくいという問題があった。
【０００６】
そこで、本発明は上述した点に鑑みてなされたものであり、ユーザが所望する表示レンジ設定への変更を行いやすくするための画像処理装置、表示装置及び表示方法を提供することを目的とする。
【課題を解決するための手段】
【０００７】
上記の課題を解決するために、本発明の画像処理装置は、表示手段に表示する入力画像を取得する取得手段と、前記入力画像に基づく第１ダイナミックレンジの第１表示画像が前記表示手段の全領域に表示されている間に、前記表示手段の複数の領域に前記入力画像に基づく複数の表示画像を表示させるための表示指示を受け付ける指示受付手段と、前記指示受付手段が前記表示指示を受け付けた場合に、前記第１表示画像とともに、前記第１ダイナミックレンジに基づいて決定した第２ダイナミックレンジの第２表示画像を前記表示手段に表示させる表示制御手段と、を有することを特徴とする。
【０００８】
本発明の表示装置は、入力画像に基づく表示画像を表示する表示手段と、前記入力画像に基づく第１ダイナミックレンジの第１表示画像が前記表示手段の全領域に表示されている間に、前記表示手段の複数の領域に前記入力画像に基づく複数の表示画像を表示させるための表示指示を受け付ける指示受付手段と、前記指示受付手段が前記表示指示を受け付けた場合に、前記第１表示画像とともに、前記第１ダイナミックレンジに基づいて決定した第２ダイナミックレンジの第２表示画像を前記表示手段に表示させる表示制御手段と、を有することを特徴とする。
【０００９】
本発明の画像処理方法は、コンピュータが実行する、表示手段に表示する入力画像を取得する取得ステップと、前記入力画像に基づく第１ダイナミックレンジの第１表示画像が前記表示手段の全領域に表示されている間に、前記表示手段の複数の領域に前記入力画像に基づく複数の表示画像を表示させるための表示指示を受け付ける受付ステップと、前記表示指示を受け付けた場合に、前記第１表示画像とともに、前記第１ダイナミックレンジに基づいて決定した第２ダイナミックレンジの第２表示画像を前記表示手段に表示させる表示ステップと、を有することを特徴とする。
【発明の効果】
【００１０】
本発明によれば、ユーザが所望する表示レンジ設定への変更を行いやすくすることができるという効果を奏する。
【図面の簡単な説明】
【００１１】
【図１】表示装置の構成を示す図である。
【図２】ＨＤＲ画像のダイナミックレンジを示す図である。
【図３】リニア特性を有する画像信号レベルを示す図である。
【図４】表示制御部がダイナミックレンジの異なる表示画像を同時に表示している状態を示す図である。
【図５】閾値未満の第１ダイナミックレンジと閾値以上の第２ダイナミックレンジの表示画像のダイナミックレンジの例を示す図である。
【図６】閾値以上の第１ダイナミックレンジと閾値未満の第２ダイナミックレンジの表示画像のダイナミックレンジの例を示す図である。
【図７】反射率の度数分布を示す図である。
【発明を実施するための形態】
【００１２】
＜第１の実施形態＞
［表示装置１の概要］
図１は、表示装置１の構成を示す図である。表示装置１は、取得部１１と、指示受付部１２と、表示部１３と、記憶部１４と、制御部１５とを有する。制御部１５は、特定部１５１と、レンジ設定部１５２と、割り付け制御部１５３と、表示制御部１５４とを含む。
【００１３】
表示装置１は、入力されたＨＤＲ（High Dynamic Range）画像データを表示するディスプレイである。ＨＤＲ画像のダイナミックレンジは、撮像装置で撮像した際の被写体の輝度関連値の範囲に対応している。輝度関連値は、輝度との相関性を有する値である。輝度の表現の一形式として、光が物体で反射する際の反射率が使用されることがある。本実施形態では、輝度関連値が反射率である場合の例を説明する。基準の環境光下で照明された物体の輝度は０〜１００％程度の反射率で表現され、それを超える輝度を有する光源（照明装置、太陽、等）の輝度は１００％以上の反射率で表現されることが多い。
【００１４】
本実施形態では、入力画像データが対象とする反射率が０〜１０００％であり、入力画像データの信号レベル（階調値）は１０ビットの値（０〜１０２３）であるものとする。図２は、ＨＤＲ画像のダイナミックレンジを示す図である。図２における横軸は反射率を、縦軸は画像信号レベルを示す。ＨＤＲ画像は、図２に示すように、反射率に対する入力画像データの画像信号レベルが対数の特性を有する。
【００１５】
なお、輝度関連値は、輝度に関連した値であればよく、反射率に限らない。例えば、輝度関連値は、輝度（輝度値）そのものであってもよいし、撮像装置が有する撮像センサに入射した光の量（光量）であってもよい。また、入力画像データが対象とする反射率の範囲、及び、入力画像データの階調値の範囲は、上述した範囲より狭くても広くてもよい。
【００１６】
表示装置１は、入力されたＨＤＲ画像データのダイナミックレンジと異なるダイナミックレンジの表示画像を表示する。本明細書において、表示装置１のダイナミックレンジを「表示レンジ」と称する。例えば、表示レンジは、画像表示の際に対象とされる反射率の範囲である。表示レンジは、「画像表示の際に想定される反射率の範囲」と言うこともできる。本実施形態では、表示レンジが撮影レンジ（１０００％）よりも狭いものとする。具体的には、表示レンジが撮影レンジの一部であるものとする。そして、画像表示の際に表示レンジの外側の反射率が表示レンジの内側の反射率に制限されるものとする。
【００１７】
表示装置１は、例えば通常モードにおいて、撮像装置が撮影した画像を、表示レンジが第１ダイナミックレンジの第１表示画像として表示部１３の全画面に表示する。表示装置１は、表示レンジを選択する際に用いられる多画面モードにおいて、第１ダイナミックレンジと異なる第２ダイナミックレンジを表示レンジとする第２表示画像を第１表示画像とともに表示する。本明細書において、第１ダイナミックレンジは、ユーザが表示レンジの設定を切り替える前に使用されていたダイナミックレンジである。第２ダイナミックレンジは、第１ダイナミックレンジに基づいて決定される。第２ダイナミックレンジは、例えば、第１ダイナミックレンジの第１表示画像を表示中にユーザがダイナミックレンジを変更する際に、ユーザにより選択される確率が比較的高いダイナミックレンジである。
【００１８】
表示装置１は、例えば、所定の表示レンジ（例えば５００％）よりも狭い表示レンジ（例えば４００％）の表示画像を画面全体で表示していた場合、所定の表示レンジより狭い表示レンジの表示画像とともに、入力画像の表示レンジよりも広い表示レンジ（例えば１０００％）の表示画像を、画面を２分割して表示する。このように、表示していた表示画像と、表示していた表示画像と表示レンジが異なる表示画像とを並べて表示することで、ユーザは、画像を比較しながら表示レンジの切り替えを行うことができる。
以下、図１を参照しながら表示装置１の構成及び動作について詳細に説明する。
【００１９】
［表示装置１の構成及び動作］
取得部１１は、表示部１３に表示する入力画像を取得する入力インターフェースである。取得部１１は、入力画像としてＨＤＲ画像を取得し、特定部１５１と、割り付け制御部１５３と、レンジ設定部１５２とに、取得した入力画像を送信する。
【００２０】
指示受付部１２は、ユーザの操作指示を受け付けるデバイスである。指示受付部１２は、例えば、スイッチ、ダイヤル、又は表示部１３上に設けられたタッチパネルを含む。指示受付部１２は、レンジ設定部１５２及び表示制御部１５４に、ユーザの操作指示の内容を示す指示信号を送信する。指示受付部１２は、例えばユーザが指示受付部１２を操作することで入力した指示情報に含まれる表示レンジ情報を受け付ける。指示受付部１２は、受け付けた表示レンジ情報をレンジ設定部１５２に送信する。なお、指示受付部１２は、リモコンからの信号を受信する信号受信部を含んでもよい。
【００２１】
指示受付部１２は、入力画像に基づく第１ダイナミックレンジの第１表示画像が表示部１３の全領域に表示されている間に、表示部１３の複数の領域に入力画像に基づく複数の表示画像を表示させるための多画面表示の指示を受け付ける。多画面表示の指示は、表示レンジを切り替える指示に含まれていてもよい。
【００２２】
また、指示受付部１２は、第１ダイナミックレンジの第１表示画像と、それぞれ異なる第２ダイナミックレンジの複数の第２表示画像とが表示部１３に表示された状態で、複数の第２ダイナミックレンジから１つを選択するための選択指示を受け付ける。指示受付部１２は、例えば表示部１３に表示された選択画面に表示された複数の第２ダイナミックレンジから１つを選択するための選択指示を受け付ける。指示受付部１２は、受け付けた選択指示をレンジ設定部１５２に通知する。
【００２３】
表示部１３は、入力画像に基づく表示画像を表示する。表示部１３は、例えば液晶パネルを含む。
記憶部１４は、ＲＯＭ（Read Only Memory）及びＲＡＭ（Random Access Memory）等を含む記憶媒体である。記憶部１４は、制御部１５が実行するプログラムを記憶している。また、記憶部１４は、制御部１５のワークメモリとして使用され、例えば、取得した入力画像を一時的に記憶する。記憶部１４は、第１ダイナミックレンジに関連付けて第２ダイナミックレンジを記憶する。記憶部１４は、第１ダイナミックレンジに関連付けて、それぞれ値が異なる複数の第２ダイナミックレンジを記憶してもよい。記憶部１４は、例えば、ユーザにより予め登録された第２ダイナミックレンジを記憶する。
【００２４】
制御部１５は、例えばＣＰＵ（Central Processing Unit）である。制御部１５は、記憶部１４に記憶されたプログラムを実行することにより、特定部１５１と、レンジ設定部１５２と、割り付け制御部１５３と、表示制御部１５４として機能する。
【００２５】
特定部１５１は、入力画像に含まれる複数の画素の輝度関連値の発生度数を特定する。具体的には、特定部１５１は、入力画像に含まれるそれぞれの画素の反射率を検出し、それぞれの反射率となっている画素の数を発生度数として特定する。特定部１５１は、特定した発生度数を表示制御部１５４に送信する。
【００２６】
レンジ設定部１５２は、指示受付部１２から通知されたユーザの指示情報に含まれる表示レンジ情報に基づいて、表示レンジを設定する。レンジ設定部１５２は、取得部１１が取得したＨＤＲ画像にメタ情報として含まれる表示レンジ情報に基づいて、表示レンジを設定してもよい。
【００２７】
ここで、表示装置１の動作モードとして、複数の表示レンジにそれぞれ対応する複数の動作モード（表示モード）のいずれかが設定可能であるとする。この場合、レンジ設定部１５２は、設定された表示モードに応じて表示レンジ情報を取得することができる。例えば、ＢＴ．７０９に対応する表示モードが設定された場合には、レンジ設定部１５２は、表示レンジ（反射率の範囲）が０〜１００％の範囲である表示レンジ情報を取得する。そして、ＢＴ．７０９よりもダイナミックレンジが広い画像データに対応する表示モードが設定された場合には、レンジ設定部１５２は、表示モードに応じて、表示レンジが０〜１００％の範囲よりも広い表示レンジ情報を取得する。
【００２８】
レンジ設定部１５２は、第１ダイナミックレンジの第１表示画像が表示部１３の全領域に表示されている間に、指示受付部１２が、表示部１３の複数の領域に入力画像に基づく複数の表示画像を表示させるための多画面表示の指示を受け付けたことに応じて、割り付けレンジを決定する。割り付けレンジとは、入力画像のダイナミックレンジのうち、表示部１３で表示する表示画像のダイナミックレンジの範囲である。
【００２９】
具体的には、レンジ設定部１５２は、指示受付部１２が多画面表示の指示を受け付けた場合、現在表示されている表示画像の表示レンジ設定と、入力画像のダイナミックレンジとに基づいて、新たに表示する画面に表示する表示画像の割り付けレンジを決定する。より具体的には、レンジ設定部１５２は、指示受付部１２が多画面表示の指示を受け付けると、新たに表示する画面に表示する表示画像の割り付けレンジを、第１ダイナミックレンジに関連付けて記憶部１４に記憶されている第２ダイナミックレンジに設定する。
【００３０】
例えば、レンジ設定部１５２は、画面全体で確認していた時の表示レンジ設定が４００％の場合、左画面の割り付けレンジを表示レンジ４００％として、右画面の割り付けレンジを左画面と異なる表示レンジとする。レンジ設定部１５２は、画面全体で表示していた時の表示レンジが入力画像のダイナミックレンジよりも狭い場合、２画面目の表示レンジを、例えば入力画像のダイナミックレンジをフルに表示できる表示レンジとする。また、レンジ設定部１５２は、画面全体で表示していた時の表示レンジが入力画像のダイナミックレンジと等しい場合、２画面目の表示レンジを、入力画像のダイナミックレンジよりも狭い表示レンジとする。このようにすることで、レンジ設定部１５２は、ユーザが、表示していた表示画像と比較したいと考える可能性が高い表示レンジの表示画像を表示させることが可能になる。
レンジ設定部１５２は、割り付け制御部１５３に割り付けレンジを通知する。
【００３１】
割り付け制御部１５３は、通知された割り付けレンジに基づいて、入力画像のダイナミックレンジを、表示部１３に表示させる際のダイナミックレンジに変換する。まず、割り付け制御部１５３は、受信したＨＤＲ画像データに含まれる図２に示した対数の特性を有する反射率に対する入力画像信号レベルを、リニア特性を有する反射率に対する画像信号レベルに変換する。図３は、リニア特性を有する画像信号レベルを示す図である。図３における横軸は反射率を示しており、縦軸は画像信号レベルを示している。変換されたＨＤＲ画像は、図３に示すように、反射率に対する画像データの画像信号レベルがリニア特性を有する。
【００３２】
続いて、割り付け制御部１５３は、以下の式（１）に基づいて、リニア変換後の画像データのダイナミックレンジを、表示画像のダイナミックレンジに変換する。
ＯＴ＝（Ａ÷Ｂ）×ＩＮ                                ・・・（１）
ＩＮ：入力画像信号レベル
Ａ：入力画像のダイナミックレンジ
Ｂ：割り付けレンジ
ＯＴ：出力画像信号レベル
【００３３】
ただし、割り付け制御部１５３は、出力画像信号レベルが１０２３より大きい場合、１０２３にクリップする。すなわち、割り付け制御部１５３は、割り付けレンジに応じて入力画像信号レベルを増幅し、割り付けレンジより大きい出力画像信号レベルをクリップする。このようにすることで、割り付け制御部１５３は、入力画像のダイナミックレンジを、入力画像のダイナミックレンジよりも狭い表示レンジに変換することができる。割り付け制御部１５３は、出力画像信号、及び表示画像のダイナミックレンジを表示制御部１５４に通知する。
【００３４】
表示制御部１５４は、割り付け制御部１５３から受信した出力画像信号を表示部１３のガンマ特性に基づいて変換する。具体的には、表示制御部１５４は、表示部１３のガンマ特性が２．２の場合は、出力画像信号を（１／２．２）乗の変換処理を行う。
【００３５】
表示制御部１５４は、表示するデータを表示部１３に送信することにより、表示部１３に画像及びテキスト等の情報を表示させる。表示制御部１５４は、通常モードにおいて、取得部１１が取得した入力画像を、第１ダイナミックレンジが４００％の第１表示画像として表示部１３の全体に表示させる。なお、第１ダイナミックレンジが４００％の表示画像は、反射率が０％以上、４００％以下の範囲で表示される画像である。
【００３６】
表示制御部１５４は、指示受付部１２が多画面表示の指示を受け付けた場合に、第１表示画像とともに、第１ダイナミックレンジに基づいて決定した第２ダイナミックレンジの第２表示画像を表示部１３に表示させる。表示制御部１５４は、指示受付部１２が表示指示を受け付けた場合に、例えば、第１ダイナミックレンジに関連付けて記憶部１４に記憶された第２ダイナミックレンジの第２表示画像を表示部１３に表示させる。
【００３７】
図４は、表示制御部１５４がダイナミックレンジの異なる表示画像を同時に表示している状態を示す図である。図４においては、表示部１３が、左側に第１ダイナミックレンジの第１表示画像を表示し、右側に第２ダイナミックレンジの第２表示画像を表示していることを示している。表示制御部１５４は、図４に示すように２画面表示の場合、画面全体に表示する場合に比べて、表示画像の水平方向を２分の１に縮小した画像を生成する。縮小した画像を生成する方法は、例えば画素間引き、バイキュービック法を用いることができる。
【００３８】
表示制御部１５４は、例えば記憶部１４に記憶された表示レンジ設定が、２００％及び８００％であり、現在の表示レンジ設定が４００％である場合は、表示レンジ設定が４００％である第１表示画像と、表示レンジ設定が８００％である第２表示画像を表示する。
【００３９】
また、表示制御部１５４は、記憶部１４に複数の第２ダイナミックレンジが記憶されている場合、複数の第２ダイナミックレンジの第２表示画像を同時に表示してもよい。例えば、表示制御部１５４は、記憶部１４に記憶された表示レンジ設定が、２００％、８００％、及び１０００％であり、現在の表示レンジ設定が４００％である場合は、表示レンジ設定が４００％である第１表示画像と、表示レンジ設定が２００％、８００％、１０００％の第２表示画像を同時に表示する。このようにすることで、ユーザは複数の表示レンジ設定の表示画像を同時に確認し、ユーザは複数の表示レンジの表示画像から一つの表示画像を選択することができる。
【００４０】
表示制御部１５４は、第１ダイナミックレンジが閾値未満である場合に、閾値以上の第２ダイナミックレンジの第２表示画像を表示部１３に表示させてもよい。図５は、閾値未満の第１ダイナミックレンジと閾値以上の第２ダイナミックレンジの表示画像のダイナミックレンジの例を示す図である。図５における横軸は反射率を示し、縦軸は表示画像の出力画像信号レベルを示している。
【００４１】
図５（ａ）における直線Ｄ１は、第１表示画像の第１ダイナミックレンジを示している。第１ダイナミックレンジは、入力画像のダイナミックレンジより狭い４００％である。図５（ａ）における一点鎖線Ｄ１１は、第２表示画像の第２ダイナミックレンジを示している。第２ダイナミックレンジは、入力画像のダイナミックレンジと等しい１０００％である。
【００４２】
このように、表示制御部１５４は、例えば、入力画像のダイナミックレンジを閾値として、画面全体で表示していた表示画像の表示レンジが入力画像のダイナミックレンジより狭い場合、入力画像のダイナミックレンジと等しい第２ダイナミックレンジの第２表示画像を表示する。画面全体で表示していた表示画像の表示レンジが入力画像のダイナミックレンジより狭い場合、ユーザは、入力画像のダイナミックレンジと等しいダイナミックレンジの表示画像を確認したい可能性が高い。したがって、表示制御部１５４が上記のように動作することにより、ユーザは所望のダイナミックレンジの画像を、表示していた画像と容易に比較することができる。
【００４３】
また、表示制御部１５４は、表示部１３に複数の第２ダイナミックレンジの表示画像を同時に表示させてもよい。この場合、表示制御部１５４は、第１ダイナミックレンジが閾値未満である場合に、閾値以上の複数の第２ダイナミックレンジから１つを選択するための選択画面を表示部１３に表示させる。ユーザは、指示受付部１２を操作することで、複数の第２ダイナミックレンジから１つを選択することができる。そして、表示制御部１５４は、指示受付部１２がユーザから受け付けた選択指示が示す第２ダイナミックレンジの第２表示画像を表示部１３に表示させる。
【００４４】
図５（ｂ）は、複数の閾値以上の第２ダイナミックレンジについて説明するための図である。図５（ｂ）における直線Ｄ１及び一点鎖線Ｄ１１は上述したとおりである。図５（ｂ）における一点鎖線Ｄ１２は、一点鎖線Ｄ１１と異なるダイナミックレンジを示しており、表示レンジの上限は７００％である。表示制御部１５４は、例えば閾値を表示レンジ５００％に設定し、表示レンジが４００％である第１表示画像と、表示レンジが７００％である第２表示画像ａと、表示レンジが１０００％である第２表示画像ｂとを同時に表示する。
このように、表示制御部１５４は、第１ダイナミックレンジより広い、複数の第２ダイナミックレンジの第２表示画像を表示部１３に表示させることができるので、ユーザは複数の第２表示画像から任意の表示画像を選択することができる。
【００４５】
表示制御部１５４は、第１ダイナミックレンジが閾値以上である場合に、閾値未満の第２ダイナミックレンジの第２表示画像を表示部１３に表示させてもよい。図６は、閾値以上の第１ダイナミックレンジと閾値未満の第２ダイナミックレンジの表示画像のダイナミックレンジの例を示す図である。図６における横軸は反射率を示し、縦軸は表示画像の出力画像信号レベルを示している。図６（ａ）における直線Ｄ２は、第１表示画面に表示する第１ダイナミックレンジを示しており、ダイナミックレンジの上限はフルレンジの１０００％である。図６（ａ）における二点鎖線Ｄ２１は、第２表示画面に表示する第２ダイナミックレンジを示しており、表示レンジの上限は４００％である。表示制御部１５４は、例えば、第１ダイナミックレンジが１０００％の第１表示画像と、第２ダイナミックレンジが４００％の第２表示画像とを表示部１３に表示する。
【００４６】
表示制御部１５４は、第１ダイナミックレンジが閾値以上である場合に、閾値未満の複数の第２ダイナミックレンジから１つを選択するための選択画面を表示部１３に表示させてもよい。図６（ｂ）は、複数の第２ダイナミックレンジについて説明するための図である。図６（ｂ）における直線Ｄ２及び二点鎖線Ｄ２１は上述のとおりである。図５（ｂ）における二点鎖線Ｄ２２は、二点鎖線Ｄ２１と異なる、第２表示画面に表示する第２ダイナミックレンジを示し、表示レンジの上限は２００％である。表示制御部１５４は、例えば、第１ダイナミックレンジが１０００％である第１表示画像と、第２ダイナミックレンジが４００％である第２表示画像ａと、第２ダイナミックレンジが２００％である第２表示画像ｂとを同時に表示する。
【００４７】
（変形例）
表示制御部１５４は、特定部１５１から通知された発生度数に基づいて決定された第２ダイナミックレンジの表示画像を表示部１３に表示させてもよい。具体的には、レンジ設定部１５２が、第２表示画像の第２ダイナミックレンジを、発生度数が所定の閾値以上の輝度関連値を含む第２ダイナミックレンジに決定する。そして、表示制御部１５４は、例えば、レンジ設定部１５２が決定した、発生度数が所定の閾値以上の輝度関連値を含む第２ダイナミックレンジの第２表示画像を表示部１３に表示させる。レンジ設定部１５２は、発生度数が最も大きい輝度関連値を第２ダイナミックレンジに決定してもよい。
【００４８】
図７は、反射率の度数分布を示す図である。図７における横軸は反射率を示し、縦軸は反射率の発生度数を示す。表示制御部１５４は、図７に示すように入力画像のダイナミックレンジが０から１０００％である場合、度数分布が最も高い６００％のダイナミックレンジの表示画像と、入力画像のダイナミックレンジと等しい１０００％のダイナミックレンジの表示画像とをともに表示部１３に表示させる。
【００４９】
［本実施形態の効果］
以上説明したように、表示装置１の表示制御部１５４は、第１ダイナミックレンジの第１表示画像とともに、第１ダイナミックレンジに基づいて決定した第２ダイナミックレンジの第２表示画像とを表示部１３に表示する。表示装置１がこのような構成を有することで、ユーザは、第１表示画像と、第１表示画像に応じた適切なダイナミックレンジの第２表示画像とを比較しながら、撮像装置の信号レベルの確認及び色調整を行うことができる。
【００５０】
以上、本発明の実施の形態、およびいくつかの実施の形態をもとに説明した。これらの任意の組み合わせによって生じる新たな実施の形態も、本発明の実施の形態に含まれる。組み合わせによって生じる新たな実施の形態の効果は、もとの実施の形態の効果を合わせ持つ。また本発明の技術的範囲は上記実施の形態に記載の範囲には限定されず、その要旨の範囲内で種々の変形及び変更が可能である。
【符号の説明】
【００５１】
１・・・表示装置
１１・・・取得部
１２・・・指示受付部
１３・・・表示部
１４・・・記憶部
１５１・・・特定部
１５４・・・表示制御部
【図１】
2018091999.tif 000003
【図２】
2018091999.tif 000004
【図３】
2018091999.tif 000005
【図４】
2018091999.tif 000006
【図５】
2018091999.tif 000007
【図６】
2018091999.tif 000008
【図７】
2018091999.tif 000009